(57)【要約】【課題】アキュームレータからの結露水が室外機ケーシングの外部に漏れ出さないようにすると共に、アキュームレータ及びアキュームレータ支持部材を室外機ケーシングに固定する際の作業容易性を向上させる。【解決手段】ケーシング底部９のバーリングから上方に延びる突起部９１と、突起部９１で囲まれてなる空隙Ｓ２の径よりも大きな径の頭部２８１と、当該空隙Ｓ２に嵌入する径の下部２８２とを有し、頭部２８１が突起部９１上に位置する状態として空隙Ｓ２に下部２８２が嵌入された固定部材２８と、アキュームレータ５下部を支持し、ケーシング底部９に取り付けられた固定台２とを備え、固定台２は、ケーシング底部９の突起部９１を両側から狭持してケーシング底部９に平行な方向に受け入れて係止し、突起部９１上の固定部材２８の頭部２８１とケーシング底部９とで上下動が規制される係止部２４を備える。【選択図】図１
2009168270.tif 000002
【特許請求の範囲】
【請求項１】
ケーシング底部に設けられたバーリングから上方に延びる突起部と、
前記突起部で囲まれてなる空隙の径よりも大きな径の頭部と、当該空隙に嵌入する径の下部とを有し、頭部が前記突起部上に位置する状態として当該空隙に下部が嵌入された固定部材と、
アキュームレータ下部を支持し、前記ケーシング底部に取り付けられたアキュームレータ支持部材とを備え、
前記アキュームレータ支持部材には、前記ケーシング底部の前記突起部をその両側から狭持した状態で前記ケーシング底部に平行な方向に受け入れて係止し、前記突起部上の前記固定部材の頭部と前記ケーシング底部とで上下動が規制される係止部が設けられている空気調和機用室外機。
【請求項２】
孔部が設けられたケーシング底部と、
前記孔部に嵌入する径の下部と、当該下部の上に形成されて前記孔部よりも大きな径からなる胴部と、当該胴部よりも更に大きな径として当該胴部の上に形成された頭部とを有し、胴部が前記ケーシング底部上に密着して前記孔部を塞いだ状態で前記孔部に下部が嵌入された固定部材と、
アキュームレータ下部を支持し、前記ケーシング底部に取り付けられたアキュームレータ支持部材とを備え、
前記アキュームレータ支持部材には、前記固定部材の前記胴部をその両側から狭持した状態で前記ケーシング底部に平行な方向に受け入れて係止し、前記固定部材の頭部と前記ケーシング底部とで上下動が規制される係止部が設けられている空気調和機用室外機。
【請求項３】
前記アキュームレータ支持部材の係止部は、前記ケーシング底部に平行な方向よりも下方向に傾斜して、前記アキュームレータ支持部材から延びる請求項１又は請求項２に記載の空気調和機用室外機。
【請求項４】
前記アキュームレータ支持部材は、当該アキュームレータ支持部材を前記ケーシング底部に締結する締結部が当該ケーシング底部上において前記係止部とは異なる位置に複数設けられ、前記係止部により前記ケーシング底部に係止された状態で、前記締結部が前記ケーシング底部に締結されている請求項１乃至請求項３のいずれかに記載の空気調和機用室外機。
【請求項５】
前記アキュームレータ支持部材は、前記アキュームレータが載置されるアキュームレータ載置部と、当該アキュームレータ載置部から下方に延びて下端に前記係止部が設けられた支柱部と、前記アキュームレータ載置部が延びる方向と同方向に当該支柱部の下端から延びて前記締結部が設けられたベース部とを有し、前記アキュームレータ載置部と前記ベース部とによって冷媒配管配置用の空間が形成される請求項４に記載の空気調和機用室外機。
【請求項６】
ケーシング底部にバーリングから上方に延びる突起部を形成し、
前記突起部で囲まれてなる空隙の径よりも大きな径の頭部と、当該空隙に嵌入する径の下部とを有する固定部材を、頭部が前記突起部上に位置する状態として当該空隙に下部を嵌入し、
前記アキュームレータ支持部材に、前記ケーシング底部の前記突起部をその両側から狭持する係止部を設け、
前記アキュームレータ支持部材の係止部に、前記ケーシング底部の前記突起部を前記ケーシング底部に平行な方向に受け入れて係止させ、前記突起部上の前記固定部材の頭部と前記ケーシング底部とで当該係止部の上下動を規制させて、前記アキュームレータを前記ケーシング底部に位置決めする空気調和機用室外機の生産方法。
【請求項７】
ケーシング底部に予め定められた径の孔部を形成し、
前記孔部に嵌入する径の下部と、当該下部の上に形成された前記孔部よりも大きな径の胴部と、当該胴部よりも更に大きな径として当該胴部の上に形成された頭部とを有する固定部材を、前記胴部が前記ケーシング底部上に密着して前記孔部を塞いだ状態として前記下部を前記孔部に嵌入させ、
前記アキュームレータ支持部材に、前記固定部材の前記胴部をその両側から狭持する係止部を設け、
前記アキュームレータ支持部材の係止部に、前記固定部材の前記胴部を前記ケーシング底部に平行な方向に受け入れて係止させ、前記固定部材の頭部と前記ケーシング底部とで当該係止部の上下動を規制させて、前記アキュームレータを前記ケーシング底部に位置決めする空気調和機用室外機の生産方法。
【発明の詳細な説明】
【技術分野】
【０００１】
本発明は、空気調和機用室外機、及び空気調和機用室外機の生産方法に関し、特に、アキュームレータをケーシングに取り付ける技術に関する。
【背景技術】
【０００２】
空気調和機用室外機には、圧縮機の吸入側にアキュームレータが設けられている。このアキュームレータは、アキュームレータ支持部材により、当該室外機のケーシングに固定される。例えば、特許文献１には、アキュームレータ５が、固定台２（アキュームレータ支持部材）を介して室外機ケース９の底板１に固定される空気調和機用室外機が開示されている。この室外機の場合、アキュームレータ５を底板１（室外機ケーシング）に取り付ける際における底板１に対するアキュームレータ５の位置決めは、例えば、底板１上の固定台２の取付位置に固定台２を宛い、固定台２と底板１とをボルト締めすることで、底板１に固定台２が固定される。このように固定台２を室外機ケーシングの底板１に固定する場合、底板１に対するアキュームレータ５及び固定台２の位置決めが容易ではないため、室外機ケーシングの底板に差込み爪により位置決め部材を設け、固定台に設けた係止部に係止させることで、底板に対するアキュームレータ５及び固定台２の位置決めが行われる。
【特許文献１】特開平８−１３６００８号公報
【発明の開示】
【発明が解決しようとする課題】
【０００３】
しかしながら、室外機ケーシングの底板に、差込み爪等により位置決め部材を設ける場合、(1)底板に設けられた孔部と差込み爪等との間から、アキュームレータからの結露水が室外機ケーシングの外部に漏れ出してしまう虞がある。(2)また、この位置決め部材は、固定台を底板に最終的に固定する前の仮止め部材としても用いることが可能であるが、例えば、上記固定台に設けた係止部が単なる孔部からなり、この孔部と底板側の孔部とをビス止めで仮止めする場合、固定台を底板に載置してからビス止めを行わなければならないため、当該ビス止め時に固定台２及びアキュームレータ５がビス止め作業に支障を生じる。
【０００４】
本発明は、上記の問題を解決するためになされたもので、アキュームレータからの結露水が室外機ケーシングの外部に漏れ出さず、アキュームレータ及びアキュームレータ支持部材を室外機ケーシングに固定する際の作業容易性を向上することを目的とする。
【課題を解決するための手段】
【０００５】
本発明の請求項１に記載の発明は、ケーシング底部に設けられたバーリングから上方に延びる突起部と、
前記突起部で囲まれてなる空隙の径よりも大きな径の頭部と、当該空隙に嵌入する径の下部とを有し、頭部が前記突起部上に位置する状態として当該空隙に下部が嵌入された固定部材と、
アキュームレータ下部を支持し、前記ケーシング底部に取り付けられたアキュームレータ支持部材とを備え、
前記アキュームレータ支持部材には、前記ケーシング底部の前記突起部をその両側から狭持した状態で前記ケーシング底部に平行な方向に受け入れて係止し、前記突起部上の前記固定部材の頭部と前記ケーシング底部とで上下動が規制される係止部が設けられている空気調和機用室外機である。
【０００６】
この発明によれば、アキュームレータ下部を支持するアキュームレータ支持部材は、その係止部が、ケーシング底部の突起部を両側から狭持した状態でケーシング底部に平行な方向に受け入れて係止し、突起部上の固定部材の頭部とケーシング底部とで上下動が規制されることによって室外機ケーシングに固定されるので、ケーシング底部に先に上記固定部材を嵌入させて取り付けた後に、アキュームレータ支持部材をケーシング底部に係止させることができる。このため、ケーシング底部にアキュームレータ及びアキュームレータ支持部材を固定する時に、固定部材を用いたケーシング底部への取付作業（例えば、ビス止めによる仮止め作業）を行う必要がなく、上記係止部をケーシング底部に係止させる作業で足りるので、アキュームレータ及びアキュームレータ支持部材を室外機ケーシングに固定する際の作業容易性が向上する。
【０００７】
また、上記固定部材は、その下部が空隙に嵌入されると共に、ケーシング底部に設けられたバーリングから上方に延びてなる突起部で囲まれてなる空隙の径よりも大きな径の頭部が当該突起部上に位置する状態とされているため、ケーシング底部に達したアキュームレータからの結露水は上記突起部によって堰き止められ、さらに、当該ケーシング底部の空隙と固定部材との間に隙間が生じないので、アキュームレータからの結露水が室外機ケーシングの外部に漏れ出すことがない。
【０００８】
また、請求項２に記載の発明は、孔部が設けられたケーシング底部と、
前記孔部に嵌入する径の下部と、当該下部の上に形成されて前記孔部よりも大きな径からなる胴部と、当該胴部よりも更に大きな径として当該胴部の上に形成された頭部とを有し、胴部が前記ケーシング底部上に密着して前記孔部を塞いだ状態で前記孔部に下部が嵌入された固定部材と、
アキュームレータ下部を支持し、前記ケーシング底部に取り付けられたアキュームレータ支持部材とを備え、
前記アキュームレータ支持部材には、前記固定部材の前記胴部をその両側から狭持した状態で前記ケーシング底部に平行な方向に受け入れて係止し、前記固定部材の頭部と前記ケーシング底部とで上下動が規制される係止部が設けられている空気調和機用室外機である。
【０００９】
この発明によれば、固定部材は、その胴部がケーシング底部上に密着して上記孔部を塞いだ状態で当該孔部に下部が嵌入され、アキュームレータ下部を支持するアキュームレータ支持部材は、その係止部が、上記状態でなる固定部材の胴部を両側から狭持した状態でケーシング底部に平行な方向に受け入れて係止し、固定部材の頭部とケーシング底部とで上下動が規制されることによって室外機ケーシングに固定されるので、ケーシング底部に先に上記固定部材を嵌入させて取り付けた後に、アキュームレータ支持部材をケーシング底部に係止させることができる。このため、ケーシング底部にアキュームレータ及びアキュームレータ支持部材を固定する時に、固定部材を用いたケーシング底部への取付作業（例えば、ビス止めによる仮止め作業）を行う必要がなく、上記係止部をケーシング底部に係止させる作業で足りるので、アキュームレータ及びアキュームレータ支持部材を室外機ケーシングに固定する際の作業容易性が向上する。
【００１０】
また、上記固定部材は、その下部が空隙に嵌入されると共に、その胴部がケーシング底部上に密着して上記孔部を塞いでいることから、当該ケーシング底部の空隙と固定部材との間に隙間が生じないので、アキュームレータからの結露水が室外機ケーシングの外部に漏れ出すことがない。
【００１１】
また、請求項３に記載の発明は、請求項１又は請求項２に記載の空気調和機用室外機であって、前記アキュームレータ支持部材の係止部は、前記ケーシング底部に平行な方向よりも下方向に傾斜して、前記アキュームレータ支持部材から延びるものである。
【００１２】
この構成によれば、アキュームレータ支持部材の係止部が、ケーシング底部に平行な方向よりも下方向に傾斜した状態でアキュームレータ支持部材の本体部から延びるので、アキュームレータ支持部材の係止部をケーシング底部に係止させるとき、当該係止部が、固定部材の頭部とケーシング底部とに接触し易くなるので、固定部材の頭部とケーシング底部とによる当該係止部の上下動規制を確保しやすく、係止部の厚さ寸法と、固定部材頭部及びケーシング底部間の空隙寸法との寸法合わせに精度が要求されない。
【００１３】
また、請求項４に記載の発明は、請求項１乃至請求項３のいずれかに記載の空気調和機用室外機であって、前記アキュームレータ支持部材は、当該アキュームレータ支持部材を前記ケーシング底部に締結する締結部が当該ケーシング底部上において前記係止部とは異なる位置に複数設けられ、前記係止部により前記ケーシング底部に係止された状態で、前記締結部が前記ケーシング底部に締結されている。
【００１４】
この発明によれば、アキュームレータ支持部材は、その係止部によりケーシング底部に係止された状態のとき、ケーシング底部上において当該係止部とは異なる位置で複数の締結部がケーシング底部に締結されているので、アキュームレータ及びアキュームレータ支持部材を強固にケーシング底部に固定することができる。
【００１５】
また、請求項５に記載の発明は、請求項４に記載の空気調和機用室外機であって、前記アキュームレータ支持部材は、前記アキュームレータが載置されるアキュームレータ載置部と、当該アキュームレータ載置部から下方に延びて下端に前記係止部が設けられた支柱部と、前記アキュームレータ載置部が延びる方向と同方向に当該支柱部の下端から延びて前記締結部が設けられたベース部とを有し、前記アキュームレータ載置部と前記ベース部とによって冷媒配管配置用の空間が形成されるものである。
【００１６】
この発明によれば、アキュームレータ支持部材は、アキュームレータ載置部と、支柱部と、ベース部とを有し、アキュームレータ載置部とベース部とによって冷媒配管配置用の空間が形成されるので、当該室外機のケーシング内で冷媒配管の取り回しが可能になる。
【００１７】
また、請求項６に記載の発明は、ケーシング底部にバーリングから上方に延びる突起部を形成し、
前記突起部で囲まれてなる空隙の径よりも大きな径の頭部と、当該空隙に嵌入する径の下部とを有する固定部材を、頭部が前記突起部上に位置する状態として当該空隙に下部を嵌入し、
前記アキュームレータ支持部材に、前記ケーシング底部の前記突起部をその両側から狭持する係止部を設け、
前記アキュームレータ支持部材の係止部に、前記ケーシング底部の前記突起部を前記ケーシング底部に平行な方向に受け入れて係止させ、前記突起部上の前記固定部材の頭部と前記ケーシング底部とで当該係止部の上下動を規制させて、前記アキュームレータを前記ケーシング底部に位置決めする空気調和機用室外機の生産方法である。
【００１８】
この発明によれば、アキュームレータ下部を支持するアキュームレータ支持部材の係止部を、ケーシング底部の突起部を両側から狭持した状態でケーシング底部に平行な方向に受け入れて係止させ、突起部上の固定部材の頭部とケーシング底部とで上下動を規制させて室外機ケーシングに固定するので、作業者は、ケーシング底部に先に上記固定部材を嵌入させて取り付けた後に、アキュームレータ支持部材をケーシング底部に係止させることができる。このため、ケーシング底部にアキュームレータ及びアキュームレータ支持部材を固定する時に、固定部材を用いたケーシング底部への取付作業（例えば、ビス止めによる仮止め作業）を行う必要がなく、上記係止部をケーシング底部に係止させる作業で足りるので、アキュームレータ及びアキュームレータ支持部材を室外機ケーシングに固定する際の作業容易性が向上する。
【００１９】
また、上記固定部材を、その下部を空隙に嵌入すると共に、ケーシング底部に設けられたバーリングから上方に延びてなるケーシング底部の突起部で囲まれてなる空隙の径よりも大きな径の頭部が当該突起部上に位置する状態とすることで、ケーシング底部に達したアキュームレータからの結露水は上記突起部によって堰き止められ、さらに、当該ケーシング底部の空隙と固定部材との間に隙間が生じないので、アキュームレータからの結露水が室外機ケーシングの外部に漏れ出すことがない。
【００２０】
また、請求項７に記載の発明は、ケーシング底部に予め定められた径の孔部を形成し、
前記孔部に嵌入する径の下部と、当該下部の上に形成された前記孔部よりも大きな径の胴部と、当該胴部よりも更に大きな径として当該胴部の上に形成された頭部とを有する固定部材を、前記胴部が前記ケーシング底部上に密着して前記孔部を塞いだ状態として前記下部を前記孔部に嵌入させ、
前記アキュームレータ支持部材に、前記固定部材の前記胴部をその両側から狭持する係止部を設け、
前記アキュームレータ支持部材の係止部に、前記固定部材の前記胴部を前記ケーシング底部に平行な方向に受け入れて係止させ、前記固定部材の頭部と前記ケーシング底部とで当該係止部の上下動を規制させて、前記アキュームレータを前記ケーシング底部に位置決めする空気調和機用室外機の生産方法である。
【００２１】
この発明によれば、固定部材を、その胴部がケーシング底部上に密着して上記孔部を塞いだ状態として当該孔部に下部を嵌入し、アキュームレータ下部を支持するアキュームレータ支持部材の係止部を、上記状態でなる固定部材の胴部を両側から狭持した状態でケーシング底部に平行な方向に受け入れて係止させ、固定部材の頭部とケーシング底部とで上下動を規制させることによって室外機ケーシングに固定するので、作業者は、ケーシング底部に先に上記固定部材を嵌入させて取り付けた後に、アキュームレータ支持部材をケーシング底部に係止させることができる。このため、ケーシング底部にアキュームレータ及びアキュームレータ支持部材を固定する時に、固定部材を用いたケーシング底部への取付作業（例えば、ビス止めによる仮止め作業）を行う必要がなく、上記係止部をケーシング底部に係止させる作業で足りるので、アキュームレータ及びアキュームレータ支持部材を室外機ケーシングに固定する際の作業容易性が向上する。
【００２２】
また、上記固定部材を、その下部を空隙に嵌入すると共に、その胴部がケーシング底部上に密着して上記孔部を塞いた状態とすることで、当該ケーシング底部の空隙と固定部材との間に隙間を生じさせないので、アキュームレータからの結露水が室外機ケーシングの外部に漏れ出すことがない。
【発明の効果】
【００２３】
本発明によれば、アキュームレータからの結露水が室外機ケーシングの外部に漏れ出さないようにでき、アキュームレータ及びアキュームレータ支持部材を室外機ケーシングに固定する際の作業容易性を向上させることができる。
【発明を実施するための最良の形態】
【００２４】
以下、本発明の一実施形態に係る空気調和機用室外機、及び空気調和機用室外機の生産方法について図面を参照して説明する。図１は本発明の一実施形態に係る空気調和機用室外機の概略構成を示す斜視図である。
【００２５】
この室外機１は、ケース３０内が仕切板４で仕切られている。当該仕切板４に仕切られた一方の室１０には、アキュームレータ５と、圧縮機６とが収容されている。また、仕切板４に仕切られた他方の室１１には、熱交換器２６と、図示しないファンとが収容されている。室１０内のアキュームレータ５は、その下部が固定台（アキュームレータ支持部材）２によって支持され、この固定台２を介してケーシング底部９に固定されている。
【００２６】
仕切板４の側縁４ａには、取付板３５が取り付けられている。この取付板３５には、閉鎖弁２１、２２が配設されている。なお、図１において５５は他のアキュームレータである。閉鎖弁２１、２２には操作部５１，５２が設けられている。なお、取付板３５は、その一端３ａがケース９の仕切板４の側縁４ａに固定され、その他端３ｂは、図１では特に図示しないが、取次部材を介して固定台２に固定されるか、又は、取次部材を介してアキュームレータ５の外周面に固定される。
【００２７】
図２は、上記室外機１におけるアキュームレータ５及び固定台２部分の斜視図である。なお、図２では、アキュームレータ５、固定台２及びケーシング底部９以外の図示は省略している。
【００２８】
上述したように、固定台２は、アキュームレータ５の下部を支持した状態で、ケーシング底部９に取り付けられる。固定台２は、アキュームレータ載置部２１と、支柱部２２と、ベース部２３とを備えている。アキュームレータ載置部２１は、支柱部２２から当該支柱部２２に対して直交する方向に延び、アキュームレータ５が載置及び固定される。支柱部２２は、アキュームレータ載置部２１の側端部から、アキュームレータ載置部２１に対して直交して下方に延びている。支柱部２２の下端には、係止部２４が設けられている。ベース部２３は、アキュームレータ載置部２１が支柱部２２から延びる方向と同方向に、当該支柱部２２の下端から延びている。アキュームレータ載置部２１は、支柱部２２から延びる２つの部材２１１，２１２からなる。ベース部２３は、支柱部２２から延びる２つの部材２３１，２３２からなる。ベース部２３の部材２３１，２３２のそれぞれの側部には締結部２５が設けられている。また、図２に示すように、アキュームレータ載置部２１、支柱部２２及びベース部２３は、側面視略「コ」字状の形状をなし、アキュームレータ載置部２１とベース部２３とによって、冷媒配管配置用の空間Ｓ１が形成されている。
【００２９】
支柱部２２の下端に設けられている上記係止部２４には、支柱部２２とは反対側の端部に開口を有し、支柱部２２に向かって切り欠かれてなるスリット２４ａが設けられている。このスリット２４ａに、ケーシング底部９に設けられている突起部又は固定部材（これらの詳細は後述）が嵌まり込むことによって、係止部２４は、ケーシング底部９に設けられている突起部又は固定部材を、当該突起部又は固定部材の両側から狭持した状態で、ケーシング底部９に平行な方向に受け入れ、当該突起部又は固定部材に係止するようになっている。上記アキュームレータ載置部２１及びベース部２３は、このように係止部２４が突起部又は固定部材に係止した状態とされたとき、ケーシング底部９に対して平行となるように形成されている。
【００３０】
また、係止部２４は、ケーシング底部９に平行な方向よりも下方向に傾斜した状態で、支柱部２２から延びる。例えば、係止部２４は、可撓性を有する板金等で形成されることが好ましい。なお、係止部２４は、当該傾斜を有さず、ケーシング底部９に平行な方向に延びる形状とされていてもよく、この場合には、可撓性を有する材質からなるものでなくてよい。
【００３１】
ベース部２３に設けられているそれぞれの締結部２５は、固定台２をケーシング底部９に締結するための部材である。これら締結部２５は、ケーシング底部９上において、上記係止部２４とは異なる位置に複数設けられている。締結部２５は、ベース部２３からケーシング底部９に平行な方向に延びる平板状の形状からなり、係止部２４がケーシング底部９に係止された状態のときに、ケーシング底部９に面的に接触する。締結部２５には、ボルトを通すための孔部が設けられており、この孔部は、係止部２４がケーシング底部９に係止してケーシング底部９に対する固定台２の位置決めが完了し、締結部２５がケーシング底部９に面的に接触している状態のときに、ケーシング底部９に形成されている孔部と同一の位置となるように構成されている。ケーシング底部９に形成されている孔部は、締結部２５の孔部と同径で形成されており、これら両孔部が同一位置で重なった状態のときに当該両孔部にボルトを貫通させてボルト締めを行うことで、固定台２がケーシング底部９に固定される。
【００３２】
次に、ケーシング底部９の突起部と係止部２４との係止について第１実施形態を説明する。図３（ａ）はケーシング底部９の突起部を示す側断面図、（ｂ）は突起部で囲まれた孔部に固定部材を嵌入した状態を示す側断面図、（ｃ）は突起部及び固定部材に係止部２４が係止した状態を示す側断面図である。図４は突起部及び固定部材に係止部２４を係止するときの様子を示す斜視図である。
【００３３】
ケーシング底部９には、固定台２の支柱部２２に設けられた係止部２４に係止させる突起部９１が形成されている。この突起部９１は、図３（ａ）に示すように、ケーシング底部９に設けられたバーリングから上方に延びてなる。
【００３４】
図３（ｂ）に示すように、上記突起部９１で囲まれてなる空隙Ｓ２には、固定部材２８が嵌入される。固定部材２８は、例えばビス等からなり、頭部２８１及び下部２８２を有する。頭部２８１は、突起部９１で囲まれてなる空隙の径よりも大きな径とされている。下部２８２は、当該空隙に嵌入する大きさの径とされている。固定部材２８は、このような構成でなるため、固定部材２８を当該空隙に嵌入すると、図３（ｂ）に示すように、頭部２８１が突起部９１の上端部の上に位置する状態となる。この状態では、当該頭部２８１は、突起部９１の上端部に密着して、上記空隙を塞ぐように構成されることが好ましい。
【００３５】
固定台２をケーシング底部９に固定する際、作業者は、上述したように、係止部２４をケーシング底部９の突起部９１に係止させるが、このとき、図４に示すように、作業者は、係止部２４のスリット２４ａの開口２４ｂを、固定部材２８が嵌入された状態の突起部９１に宛い、図４に矢印で示す方向に、アキュームレータ５が取り付けられた固定台２をスライド移動させて、係止部２４の開口２４ｂからスリット２４ａ内に突起部９１及び固定部材２８を導くようにする。このとき、図３（ｃ）に示すように、係止部２４は、突起部９１を当該突起部９１の両側から狭持した状態で、ケーシング底部９に平行な方向に受け入れ、当該突起部９１に係止する。
【００３６】
上述したように、係止部２４は、ベース部２３及びケーシング底部９に平行な方向よりも下方向に傾斜しているため、係止部２４の先端部２４ｃがケーシング底部９に当接し、係止部２４の上面部２４ｄが固定部材２８の頭部２８１の下端に当接する状態となって、固定部材２８の頭部２８１とケーシング底部９とで係止部２４の上下動が規制される。また、固定台２の上記スライド移動は、突起部９１が係止部２４のスリット２４ａの端部２４ｅに当接することで規制される。
【００３７】
このように、係止部２４の上下動及びスライド移動が規制されるに到ったときに、締結部２５の孔部とケーシング底部の孔部とが同一位置で重なるように位置決めされており、両孔部が重なった状態のときに、作業者が、当該両孔部にボルトを貫通させてボルト締めを行うことで、固定台２がケーシング底部９に固定される。
【００３８】
次に、ケーシング底部９に嵌め付けられた固定部材と係止部２４との係止の第２実施形態を説明する。図５（ａ）は固定部材に係止部２４が係止した状態を断面で示す斜視図、（ｂ）は固定部材に係止部２４が係止した状態を示す側断面図である。
【００３９】
第２実施形態では、ケーシング底部９に設けられた孔部Ｓ３に固定部材２９が嵌入されている。固定部材２９は、例えばビス等からなり、下部２９１と、胴部２９２と、頭部２９３とを有する。下部２９１は、孔部Ｓ３に嵌入する径とされている。すなわち、孔部Ｓ３及び下部２９１は、孔部Ｓ３に下部２９１がビス止め可能に嵌入されるように、互いの径が設定されている。胴部２９２は、下部２９１の上に形成されて孔部Ｓ３よりも大きな径からなる。頭部２９３は、胴部２９２よりも更に大きな径として胴部２９２の上に形成されている。固定部材２９は、固定部材２９を孔部Ｓ３にビス止めにより嵌入すると、図５（ａ）（ｂ）に示すように、胴部２９２がケーシング底部９に当接した状態となる。この状態では、当該胴部２９２は、ケーシング底部９上に密着して、孔部Ｓ３を塞いだ状態となる。
【００４０】
固定台２をケーシング底部９に固定する際、作業者は、係止部２４を、上記のようにケーシング底部９の孔部Ｓ３にビス止めされた固定部材２９に係止させる。このとき、第１実施形態と同様に、作業者は、係止部２４のスリット２４ａの開口２４ｂを、ケーシング底部９上にある固定部材２９の胴部２９２に宛い、アキュームレータ５が取り付けられた固定台２を、ケーシング底部９と平行にスライド移動させて、係止部２４の開口２４ｂからスリット２４ａ内に固定部材２９を導くようにする。このとき、図５（ａ）（ｂ）に示すように、係止部２４は、固定部材２９の胴部２９２を当該胴部２９２の両側から狭持した状態で、ケーシング底部９に平行な方向に受け入れ、当該固定部材２９に係止する。上述したように、係止部２４は、ベース部２３及びケーシング底部９に平行な方向よりも下方向に傾斜しているため、係止部２４の先端部２４ｃがケーシング底部９に当接し、係止部２４の上面部２４ｄが固定部材２９の頭部２９３の下端に当接する状態となって、固定部材２９の頭部２９３とケーシング底部９とで係止部２４の上下動が規制される。第１実施形態と同様に、固定台２の上記スライド移動は、突起部９１が係止部２４のスリット２４ａの端部２４ｅに当接することで規制され、係止部２４の上下動及びスライド移動が規制されるに到ったときに、締結部２５の孔部とケーシング底部９の孔部Ｓ３とにボルトを貫通させてボルト締めを行うことで、固定台２がケーシング底部９に固定される。
【００４１】
なお、本発明は上記実施の形態の構成に限られず種々の変形が可能である。例えば、上記実施形態では、固定部材２８，２９を、ビスを例にして説明しているが、固定部材２８，２９は、ビスからなるものに限定されない。例えば、固定部材２８，２９は、係止ピンや係止クリップ等からなるものであってもよい。この場合、係止ピン又は係止クリップからなる固定部材２８，２９を、ケーシング底部９の空隙Ｓ２又は孔部Ｓ３に嵌合するように形成する。
【００４２】
また、上記に第１及び第２実施形態として示したケーシング底部９の突起部と係止部２４との係止は、あくまでも本発明の一形態に過ぎず、本発明を上記各実施形態で示した形状や構成に限定する趣旨ではない。
【図面の簡単な説明】
【００４３】
【図１】本発明の一実施形態に係る空気調和機用室外機の概略構成を示す斜視図である。
【図２】室外機におけるアキュームレータ及び固定台部分の斜視図である。
【図３】（ａ）はケーシング底部の突起部を示す側断面図、（ｂ）は突起部で囲まれた孔部に固定部材を嵌入した状態を示す側断面図、（ｃ）は突起部及び固定部材に係止部が係止した状態を示す側断面図である。
【図４】突起部及び固定部材に係止部を係止するときの様子を示す斜視図である。
【図５】（ａ）は固定部材に係止部が係止した状態を断面で示す斜視図、（ｂ）は固定部材に係止部が係止した状態を示す側断面図である。
【符号の説明】
【００４４】
１          室外機
２          固定台
２１        アキュームレータ載置部
２２        支柱部
２３        ベース部
２４        係止部
２４ａ      スリット
２４ｂ      開口
２４ｃ      先端部
２４ｄ      上面部
２４ｅ      端部
２５        締結部
２８        固定部材
２８１      頭部
２８２      下部
２９        固定部材
２９１      下部
２９２      胴部
２９３      頭部
５          アキュームレータ
９          ケーシング底部
９１        突起部
【図１】
2009168270.tif 000003
【図２】
2009168270.tif 000004
【図３】
2009168270.tif 000005
【図４】
2009168270.tif 000006
【図５】
2009168270.tif 000007